(57)【要約】【課題】発光ダイオードモジュール用の放熱フィン装置ないしそれを備えた発光ダイオードモジュール全体の構成を小型化するとともに、その散熱性を向上させようとする。【解決手段】その内部に正面に開口し且つ奥部が平らかになった窪みがあり、また、周面に複数の放熱フィンが形成してある取付枠と、前記窪み内の奥部に配置されている発光ダイオード手段と、ラッパ形であって一端大一端小の両端開口を有し、且つ前記大端開口縁が前記取付枠の正面にある開口縁に当接し、前記発光ダイオード手段が前記小端開口内の中心位置にあるように、前記窪み内に挿入されて係止されている反射筒とからなった発光ダイオードモジュールを提供する。【選択図】図２
2007234417.tif 000002
【特許請求の範囲】
【請求項１】
その内部に正面に開口し且つ奥部が平らかになった窪みがあり、また、周面に複数の放熱フィンが形成してある取付枠と、
前記窪み内の奥部に配置されている発光ダイオード手段と、
ラッパ形であって一端大一端小の両端開口を有し、且つ前記大端開口縁が前記取付枠の正面にある開口縁に当接し、前記発光ダイオード手段が前記小端開口内の中心位置にあるように、前記窪み内に挿入されて係止されている反射筒とからなったことを特徴とする発光ダイオードモジュール。
【請求項２】
前記反射筒は前記大端開口縁から外へ張出しになった反射筒フランジを有し、前記取付枠は前記正面開口縁から前方へ突出してなった止めブロックを有し、前記反射筒の大端開口縁と前記取付枠の正面開口縁との当接は前記フランジと前記止めブロックとの間に行われていることを特徴とする請求項１に記載の発光ダイオードモジュール。
【請求項３】
前記窪みはその截頭面が前記奥部になった四角形の截頭錐体形となっており、
前記発光ダイオード手段は前記窪み内の奥部と同一サイズの板体上の中心位置に取付けられており、
前記板体は前記窪み内の奥部に嵌め込まれて配置されており、
それにより、前記発光ダイオード手段の発光ヘッドが前記取付枠内の正当の位置に配置されるようになっていることを特徴とする請求項２に記載の発光ダイオードモジュール。
【請求項４】
そのハウジングの送風口付き前面が前記取付枠の背面に当てられており、周縁近くに左右に延伸してなった複数の第１取付孔が開けてあるファン手段を更に備えており、
前記取付枠はその前面が前記正面となるように外へ張出しになった取付フランジを有し、該取付フランジに前記複数の第１取付孔と対応している複数の第２取付孔が開けてあり、
前記複数の第１取付孔と前記複数の第２取付孔とは複数の固定ピンに貫通されており、
それにより、前記ファン手段が前記取付枠の背面に保持されるようになっていることを特徴とする請求項２に記載の発光ダイオードモジュール。
【請求項５】
前記取付枠は、その側面の一部に配線用の開口がなっていることを特徴とする請求項２に記載の発光ダイオードモジュール。
【請求項６】
前記配線用の開口は前記正面開口と前記取付枠の表面に連続的になっていることを特徴とする請求項５に記載の発光ダイオードモジュール。
【請求項７】
その内部に正面に開口し且つ奥部が平らかになっていて発光ダイオード手段と反射筒がその中に入れられて保持される窪みがあり、また、周面に複数の放熱フィンが形成してある取付枠を備えていることを特徴とする発光ダイオードモジュール用の放熱フィン装置。
【請求項８】
その内部に正面と一部の側面に開口し且つ奥部が平らかになっていて発光ダイオード手段と反射筒がその中に入れられて保持される窪みがあり、また、前記正面開口縁に前方へ突出してなった止めブロックがあり、周面に複数の放熱フィンが形成してある取付枠を備えていることを特徴とする発光ダイオードモジュール用の放熱フィン装置。
【請求項９】
その内部に正面と前記正面と連続的な一部の側面とに開口し且つ奥部が平らかになっていて発光ダイオード手段と反射筒がその中に入れられて保持される窪みがあり、また、前記正面開口縁に前方へ突出してなった止めブロックがあり、周面に複数の放熱フィンが形成してある取付枠と、
そのハウジングの送風口付き前面が前記取付枠の背面に当接するように付設されているファン手段を備えていることを特徴とする発光ダイオードモジュール用の放熱フィン装置。
【請求項１０】
そのハウジングの周縁近くに左右に延伸してなった複数の第１取付孔が開けてあり、
前記取付枠はその前面が前記正面となるように外へ張出しになった取付フランジを有し、該取付フランジに前記複数の第１取付孔と対応している複数の第２取付孔が開けてあり、
前記複数の第１取付孔と前記複数の第２取付孔とは複数の固定ピンに貫通されており、
それにより、前記ファン手段が前記取付枠の背面に保持されるようになっていることを特徴とする請求項９に記載の発光ダイオードモジュール用の放熱フィン装置。
【請求項１１】
前記窪みはその截頭面が前記底部になった四角形の截頭錐体形になっていることを特徴とする請求項９に記載の発光ダイオードモジュール用の放熱フィン装置。
【発明の詳細な説明】
【技術分野】
【０００１】
本発明は、発光ダイオードモジュール及びその放熱フィン装置に関し、特に小型の発光ダイオードモジュール及びその放熱フィン装置に関する。
【背景技術】
【０００２】
従来からの電子装置における発光モジュールは、散熱のために、ファン手段が付設されている。発光モジュールの発熱が大きければ大きいほど、ファン手段もそれに従って大きくなる。しかし、現今の電子装置の小型化につれてファン手段も発光モジュールの全体も小型化にならなければならないので、発光モジュールの設計にジレンマに逢う。
【０００３】
また、発光モジュールの小型化につれてその組立ての容易さも正確さももっと厳しく要求される。
【発明の開示】
【発明が解決しようとする課題】
【０００４】
前記に鑑みて、本発明は、その全体構成が小型で散熱性もよく向上した発光ダイオードモジュールを提供することをその第１の目的とする。
【０００５】
本発明は、その構成により組立てが容易に且つ正確に行われる発光ダイオードモジュールを提供することをその第２の目的とする。
【０００６】
また、本発明は、他の側面から、前記発光ダイオードモジュールに使用される放熱フィン装置をも提供することをその目的とする。
【課題を解決するための手段】
【０００７】
前記目的を達成するために、本発明は、まず、その内部に正面に開口し且つ奥部が平らかになった窪みがあり、また、周面に複数の放熱フィンが形成してある取付枠と、前記窪み内の奥部に配置されている発光ダイオード手段と、ラッパ形であって一端大一端小の両端開口を有し、且つ前記大端開口縁が前記取付枠の正面にある開口縁に当接し、前記発光ダイオード手段が前記小端開口内の中心位置にあるように、前記窪み内に挿入されて係止されている反射筒とからなった発光ダイオードモジュールを提供する。
【０００８】
具体的に言えば、前記反射筒は前記大端開口縁から外へ張出しになった反射筒フランジを有し、前記取付枠は前記正面開口縁から前方へ突出してなった止めブロックを有し、前記反射筒の大端開口縁と前記取付枠の正面開口縁との当接は前記フランジと前記止めブロックとの間に行われているものが挙げられる。
【０００９】
また、前記窪みはその截頭面が前記奥部になった四角形の截頭錐体形となっており、前記発光ダイオード手段は前記窪み内の奥部と同一サイズの板体上の中心位置に取付けられており、前記板体は前記窪み内の奥部に嵌め込まれて配置されており、それにより、前記発光ダイオード手段の発光ヘッドが前記取付枠内の正当の位置に配置されるようになっているものがさらに挙げられる。
【００１０】
そして、該発光ダイオードモジュールの散熱効果の向上及び組立ての便利さを図るために、そのハウジングの送風口付き前面が前記取付枠の背面に当てられており、周縁近くに左右に延伸してなった複数の第１取付孔が開けてあるファン手段を更に備えており、前記取付枠はその前面が前記正面となるように外へ張出しになった取付フランジを有し、該取付フランジに前記複数の第１取付孔と対応している複数の第２取付孔が開けてあり、前記複数の第１取付孔と前記複数の第２取付孔とは複数の固定ピンに貫通されており、それにより、前記ファン手段が前記取付枠の背面に保持されるようになっているものが好ましい。
【００１１】
本発明は、他の側面からみれば、その内部に正面に開口し且つ奥部が平らかになっていて発光ダイオード手段と反射筒がその中に入れられて保持される窪みがあり、また、周面に複数の放熱フィンが形成してある取付枠を備えている発光ダイオードモジュール用の放熱フィン装置をも提供する。
【００１２】
そして、本発明は、その内部に正面に開口し且つ奥部が平らかになっていて発光ダイオード手段と反射筒がその中に入れられて保持される窪みがある上、前記正面開口縁に前方へ突出してなった止めブロックがあり、周面に複数の放熱フィンが形成してある取付枠を備えているもの、及び、前記のような取付枠を備えた上、そのハウジングの送風口付き前面が前記取付枠の背面に当接するように付設されているファン手段を備えている発光ダイオードモジュール用の放熱フィン装置をも提供する。
【００１３】
また、前記発光ダイオードモジュール用の放熱フィン装置が容易に組み立てられるために、そのハウジングの周縁近くに左右に延伸してなった複数の第１取付孔が開けてあり、前記取付枠はその前面が前記正面となるように外へ張出しになった取付フランジを有し、該取付フランジに前記複数の第１取付孔と対応している複数の第２取付孔が開けてあり、前記複数の第１取付孔と前記複数の第２取付孔とは複数の固定ピンに貫通されており、それにより、前記ファン手段が前記取付枠の背面に保持されるようになっているものが挙げられる。
【００１４】
なお、前記窪みはその截頭面が前記奥部になった四角形の截頭錐体形になっているものが好ましい。
【発明の効果】
【００１５】
前記構成による発光ダイオードモジュールは、その取付枠の窪み内に発光ダイオード手段と反射筒がその中に入れられて保持されており、且つ、その取付枠の周面に複数の放熱フィンが形成されているので、その全体構成が小型化とともに速やかに散熱することができる。
【００１６】
そして、前記反射筒の前記窪み内にの保持は、その大端開口縁にある反射筒フランジと前記取付枠の開口縁にある止めブロックとの当接により、前記窪み内の所定の位置に挿入されるので、取付けの際、反射筒は自ずと前記窪み内の前後方向における正当の位置に配置されるようになる。
【００１７】
そしてまた、前記発光ダイオード手段は前記窪み内の奥部と同一サイズの板体上の中心位置に取付けられているので、前記板体が前記窪み内の奥部に嵌め込まれると、前記発光ダイオード手段の発光ヘッドは自ずと前記窪み内の奥部の面上における正当の位置に配置されるようになっている。
【００１８】
即ち、本発明の発光ダイオードモジュールは、その構成自体により、その発光ダイオードもその反射筒も自ずと窪み内の正確な位置になるように組み立てられる。
【発明を実施するための最良の形態】
【００１９】
以下、図示を参照しながら本発明の好適な実施形態を詳細に説明する。
【００２０】
図１に示すように、本発明の発光ダイオードモジュール２は発光装置として投影機１などの電子機器に結合されて使用されるものである。
【００２１】
この発光ダイオードモジュール２の具体的な構成を説明すると、図２及び図３に示すように、その内部に正面２０１と前記正面２０１と連続的な一部の側面２０７に開口し且つ奥部２１１が平らかになった窪み２１０があり、また、周面２１２の前記側面を除いた部分に複数の放熱フィン２１５が形成してある取付枠２１と、窪み２１０内の奥部２１１に配置されている発光ダイオード手段２３と、ラッパ形であって一端大一端小の両端開口２２１、２２２を有し、且つ大端開口２２１縁が取付枠２１の正面２０１にある開口縁に当接し、発光ダイオード手段２３が小端開口２２２内の中心位置にあるように、窪み２１０内に挿入されて係止されている反射筒２２とからなったものである。
【００２２】
この実施形態例では、正面２０１にある開口と一部の側面２０７にある開口とは取付枠２１の表面に連続的になっているが、正面２０１にある開口は、発光ダイオード手段２３の投射口とされ、一部の側面２０７における開口は発光ダイオード手段２３の配線口とされるので、その目的を果たすことができれば、連続的でなく、互いに分離して独立になっても良い。
【００２３】
また、反射筒２２は大端開口２２１縁から外へ張出しになった反射筒フランジ２２３を有し、取付枠２１は正面２０１開口縁から前方へ突出してなった止めブロック２１６を有し、反射筒２２の大端開口２２１縁と取付枠２１の正面２０１開口縁との当接は反射筒フランジ２２３と止めブロック２１６との間に行われている。
【００２４】
前記のように、反射筒２２の窪み２１０内にの保持は、その大端開口２２１縁にある反射筒フランジ２２３と取付枠２１の開孔縁にある止めブロック２１６との当接により、窪み２１０内の所定の位置に挿入されるので、反射筒２２は、取付けの際、すでに、自ずと窪み２１０内の前後方向における正当の位置に配置されるようになっている。
【００２５】
そして、窪み２１０はその截頭面が奥部２１１になった四角形の截頭錐体形となっており、発光ダイオード手段２３は窪み２１０内の奥部２１１と同一サイズの板体２３１上の中心位置に取付けられており、板体２３１は窪み２１０内の奥部２１１に嵌め込まれて配置されており、それにより、発光ダイオード手段２３の発光ヘッド２３２が窪み２１０内における奥部２１１の面上の正当の位置に配置されるようになっている。
【００２６】
即ち、前記構成自体により、発光ダイオード手段２３も反射筒２２も、取付の際、すでに、自ずと窪み内の正確な位置になっている。他に、位置決めや調整の作業が必要でない。
【００２７】
この実施形態例の発光ダイオードモジュール２は、前記複数の放熱フィン２１５で発光ダイオード手段２３が生じた発熱を散逸させることができるが、散熱効果の向上を図るために、さらに、強制散熱用の図示のファン手段２４が付設されている。ファン手段２４は、そのハウジング２４２の送風口付き前面が取付枠２１の背面２０２に当てられており、周縁近くに左右に延伸してなった第１取付孔２４１が三つ開けてあるものである。もっと詳しく説明すると、図３に示すように、取付枠２１はその前面が正面２０１となるように外へ張出しになった取付フランジ２１３を有し、該取付フランジ２１３に前記の三つの第１取付孔２４１と対応している三つの第２取付孔２１４が開けてあり、三つの第１取付孔２４１と三つの第２取付孔２１４とはそれぞれ固定ピン２５に貫通されており、それにより、ファン手段２４が取付枠２１の背面２０２に保持されるようになっている。
【００２８】
また、本発明の他の側面からみれば、前記実施形態例には、発光ダイオード手段２３と反射筒２２とを保持するための放熱フィン装置をも提供した。
【００２９】
即ち、図３及び図４に示すように、この実施形態例の放熱フィン装置は、主として、その内部に正面２０１と一部の側面２０７に開口し且つ奥部２１１が平らかになっていて発光ダイオード手段２３と反射筒２２がその中に入れられて保持される窪み２１０があり、また、正面２０１開口縁に前方へ突出してなった止めブロック２１６があり、周面２１２に複数の放熱フィン２１５が形成してある取付枠２１とからなっている。
【００３０】
前記構成を加えて、そのハウジング２４２の送風口付き前面が取付枠２１の背面２０２に当接するように付設されているファン手段２４も本実施形態の放熱フィン装置の一部になっている。即ち、この発光ダイオード用の放熱フィン装置において、図３に示すように、ファン手段２４はそのハウジング２４２の周縁近くに左右に延伸してなった第１取付孔２４１が三つ開けてあり、取付枠２１はその前面が前記正面２０１となるように外へ張出しになった取付フランジ２２３を有し、該取付フランジ２２３に前記三つの第１取付孔２４１と対応している三つの第２取付孔２１４が開けてあり、三つの第１取付孔２４１と三つの第２取付孔２１４とはそれぞれ固定ピン２５に貫通されており、それにより、ファン手段２４が取付枠２１の背面２０２に保持されるようになっている。
【００３１】
なお、前記のように、この実施形態例の放熱フィン装置では、取付枠２１の窪み２１０はその截頭面が奥部２１１になった四角形の截頭錐体形になっているが、発光ダイオードモジュール２ないし投影機などの電子装置の必要に応じてその截頭面が奥部２１１になった円形乃至楕円形の截頭錐体形も考えられる。
【００３２】
なお、この実施例では、発光ダイオード手段２３と反射筒２２が同時に取付枠２１中に入れられ保持されるために、窪み２１０はその截頭面が奥部２１１になった四角形の截頭錐体形になっていることが好ましい。
【産業上の利用可能性】
【００３３】
前記構成による発光ダイオードモジュールは、その取付枠の窪み内に発光ダイオード手段と反射筒がその中に入れられて保持されており、また、その取付枠の周面に複数の放熱フィンが形成されているので、その全体構成が小型化とともに速やかに散熱することができる。
【００３４】
そして、前記反射筒の前記窪み内にの保持は、その大端開口縁にある反射筒フランジと前記取付枠の開孔縁にある止めブロックとの当接により、前記窪み内の所定の位置に挿入されるので、取付けの際、反射筒は自ずと前記窪み内の前後方向における正当の位置に配置されるようになる。
【００３５】
そしてまた、前記発光ダイオード手段は前記窪み内の奥部と同一サイズの板体上の中心位置に取付けられているので、前記板体が前記窪み内の奥部に嵌め込まれて配置される際には、前記発光ダイオード手段の発光ヘッドが前記取付枠内の奥部の面上の正当の位置に配置されるようになっている。
【図面の簡単な説明】
【００３６】
【図１】本発明の発光ダイオードモジュールの使用例を示す説明図。
【図２】本発明の好適な実施形態例の発光ダイオードモジュールの斜視図。
【図３】本発明の好適な実施形態例の発光ダイオードモジュールの分解斜視図。
【図４】本発明の好適な実施例の発光ダイオードモジュール用の放熱装置の背面図。
【符号の説明】
【００３７】
１．．．投影機
２．．．発光ダイオードモジュール
２０１．．．正面
２０２．．．背面
２０７．．．側面
２１．．．取付枠
２１０．．．窪み
２１１．．．奥部
２１２．．．周面
２１３．．．取付フランジ
２１４．．．第２取付孔
２１５．．．放熱フィン
２１６．．．止めブロック
２２．．．反射筒
２２１．．．大端開口
２２２．．．小端開口
２２３．．．反射フランジ
２３．．．発光ダイオード手段
２３１．．．板体
２３２．．．発光ヘッド
２４．．．ファン手段
２４１．．．第１取付孔
２４２．．．ウジング
２５．．．固定ピン
【図１】
2007234417.tif 000003
【図２】
2007234417.tif 000004
【図３】
2007234417.tif 000005
【図４】
2007234417.tif 000006